(57)【要約】【課題】気密性に優れたパネル壁を簡単に形成することができるようにしたパネル結合用ジョイナを提供することである。【解決手段】接続すべきパネルＰの側部を表裏から挾持する第１挾持板１と第２挾持板２とを有し、第１挾持板１の内面には一対の係合板３を設け、第２挾持板２の内面には一対の係合板３間に挿入される挿入板４を設ける。挿入板４と係合板３の対向面に挿入板４を抜け止めして第１挾持板１と第２挾持板２とを連結状態に保持する係合手段６を設ける。一対の係合板３に対する挿入板４の挿入によって第１挾持板１と第２挾持板２を連結状態に保持し、第１挾持板１と第２挾持板２間にパネルＰの側部を挿入して圧入し、第１挾持板１と第２挾持板２の側部に設けたわん曲部５を弾性変形させ、その復元弾性によりパネルＰを挾持し、そのパネルＰに対する側部の密着により気密性を保持する。【選択図】図１
2005232787.tif 000002
【特許請求の範囲】
【請求項１】
接続すべきパネルの側部を表裏から挾持する帯状の第１挾持板および第２挾持板を有し、その第１挾持板と第２挾持板の対向内面における一方に対向一対の係合板を設け、他方にはその一対の係合板間に対して差し可能な挿入板を形成し、その挿入板と係合板の相互間に、両板を結合状態に保持する係合手段を設け、前記第１挾持板および第２挾持板の少なくとも両側部に対向する挾持板に向けてわん曲するわん曲部を設け、対向するわん曲部の側縁間の寸法を前記パネルの厚みより小さくしたパネル結合用ジョイナ。
【請求項２】
前記係合手段が、挿入板と係合板の対向面一方に形成された突条と、他方に形成された係合溝とから成る請求項１に記載のパネル結合用ジョイナ。
【請求項３】
前記一対の係合板間に対する挿入板の差し込みによる第１挾持板と第２挾持板の連結状態において、第１挾持板の両側縁を第２挾持板の両側縁に対して挾持板の幅方向に位置をずらした請求項１又は２に記載のパネル結合用ジョイナ。
【発明の詳細な説明】
【技術分野】
【０００１】
この発明は、壁面用パネルや間仕切り用パネル等のパネルを互に連結するパネル結合用ジョイナに関するものである。
【背景技術】
【０００２】
パネルを順次接続して壁面や間仕切り壁等のパネル壁を形成する場合、パネル結合用ジョイナを用いてパネルを順次接続するようにしている。
【０００３】
この種のパネル結合用ジョイナとして、ウエブの両側に対向一対のフランジを一体に設けたアルミニウムから成るものが従来から知られている。
【０００４】
上記パネル結合用ジョイナにおいては、対向する一対のフランジ間にパネルの側部を嵌合して、パネルを順次接続するようにしている。
【発明の開示】
【発明が解決しようとする課題】
【０００５】
ところで、上記従来のパネル結合用ジョイナにおいては、対向する一対のフランジの対向内面間の寸法が接続すべきパネルの厚みより大きいため、パネルを単に接続すると、パネルの表面とフランジの内面に隙間が生じて気密性が悪くなり、強度の強いパネル壁を得ることができない。
【０００６】
そのような問題点を解決するため、パネルの表面とフランジの内面間にシリコンシーラーやガスケット等のシール材を介在させて気密性を高め、かつパネル壁の強度を高めるようにしている。
【０００７】
このため、パネル壁の形成には非常に手間がかかり、また、シール材から人体に有害なガスが発生して環境を悪化させるという不都合があった。
【０００８】
また、従来のパネル結合用ジョイナにおいては、そのパネル結合用ジョイナとパネルとを順次接続してパネル壁を形成するため、両側のパネル間に位置するパネルの破損等による変換に際しては、パネル壁を端から順に分解する必要が生じ、パネルの交換に非常に手間がかかるという不都合もあった。
【０００９】
この発明の課題は、気密性に優れたパネル壁を簡単に能率よく形成することができると共に、パネルを簡単に交換することができるようにしたパネル結合用ジョイナを提供することである。
【課題を解決するための手段】
【００１０】
上記の課題を解決するために、この発明においては、接続すべきパネルの側部を表裏から挾持する帯状の第１挾持板および第２挾持板を有し、その第１挾持板と第２挾持板の対向内面における一方に対向一対の係合板を設け、他方にはその一対の係合板間に対して差し可能な挿入板を形成し、その挿入板と係合板の相互間に、両板を結合状態に保持する係合手段を設け、前記第１挾持板および第２挾持板の少なくとも両側部に対向する挾持板に向けてわん曲するわん曲部を設け、対向するわん曲部の側縁間の寸法を前記パネルの厚みより小さくした構成を採用したのである。
【００１１】
ここで、前記係合手段として、挿入板と係合板の対向面一方に形成された突条と、他方に形成された係合溝とから成るものを採用している。
【００１２】
パネル壁をより簡単に能率よく形成することができるようにするため、他の発明においては、前記発明に係るパネル結合用ジョイナにおいて、一対の係合板間に対する挿入板の差し込みによる第１挾持板と第２挾持板の連結状態で、第１挾持板の両側縁を第２挾持板の両側縁に対して挾持板の幅方向に位置をずらした構成を採用している。
【発明の効果】
【００１３】
この発明によれば、一対の係合板間に対する挿入板の挿入によって第１挾持板と第２挾持板が連結され、パネル結合用ジョイナが組立てられる。パネル壁の形成に際しては、組立て状態におけるパネル結合用ジョイナの第１挾持板と第２挾持板の対向部間にパネルの側部を圧入する。その圧入により第１挾持板および第２挾持板のわん曲部が弾性変形し、その復元弾性により各わん曲部がパネルの表裏両面に密着してパネルの側部を表裏両面から挾持するため、気密性に優れたパネル壁を形成することができると共に、シール材等の組込みを不要とすることができるため、パネル壁を簡単に能率よく形成することができる。
【００１４】
また、第１挾持板と第２挾持板の相互間に離反する方向の引張り力を付与すると、一対の係合板間より挿入板が引き抜かれて第１挾持板と第２挾持板の連結を解除することができるため、パネルの交換に際してパネル壁を端から分解する必要がなく、パネルを簡単に交換することができる。
【００１５】
さらに、パネル結合用ジョイナの組立て状態で第１挾持板の両側縁を第２挾持板の両側縁に対して挾持板の幅方向に位置をずらしたことにより、パネルを各挾持板に対して傾斜させることによって、第１挾持板と第２挾持板間にパネルの側部を簡単に差し込むことができ、パネルの圧入が容易であってパネル壁をより簡単に組立てることができる。
【発明を実施するための最良の形態】
【００１６】
以下、この発明の実施形態を図面に基づいて説明する。図１および図２に示すように、パネル結合用ジョイナは、接続すべきパネルＰの側部を表裏から挾持する第１挾持板１と第２挾持板２とから成り、第１挾持板１には第２挾持板２に対する対向面に一対の係合板３が一体に設けられ、一方、第２挾持板２には第１挾持板１に対する対向面に上記一対の係合板３間に挿入される対向一対の挿入板４が一体に設けられている。
【００１７】
一対の係合板３を有する第１挾持板１および一対の挿入板４を有する第２挾持板２のそれぞれはアルミニウムの押出し成形品とされている。その第１挾持板１および第２挾持板２の両側部には相手方の挾持板に向けてわん曲するわん曲部５が設けられている。
【００１８】
第１挾持板１と第２挾持板２は、一対の係合板３間に対する一対の挿入板４の挿入によって連結状態とされ、その連結状態において、図４に示すように、第１挾持板１の両側縁と第２挾持板２の両側縁間の寸法Ｗは接続すべきパネルＰの厚みｔより小さくなっている。
【００１９】
また、第１挾持板１と第２挾持板２の連結状態において、第１挾持板１の両側縁は第２挾持板２の両側縁に対して挾持板の幅方向に位置がずれている。
【００２０】
図１および図３に示すように、一対の係合板３と一対の挿入板４の相互間には、一対の挿入板４を抜け止めして第１挾持板１と第２挾持板２を連結状態に保持する係合手段６が設けられている。
【００２１】
係合手段６は、一対の係合板３と一対の挿入板４の対向面における一方に形成された半円形の突条７と、他方に形成された半円形の係合溝８とから成り、上記係合溝８に対する突条７の係合によって一対の挿入板４を抜け止めしている。
【００２２】
実施の形態では、対となる突条７と係合溝８を挿入板４の抜き差し方向に間隔をおいて２組設けるようにしたが、組数は任意である。
【００２３】
ここで、一対の係合板３間に対する挿入板４の差し込みを容易とするため、係合板３の先端縁および挿入板４の先端縁に円弧状の面取り９を設けている。
【００２４】
実施の形態で示すパネル結合用ジョイナは上記の構成から成り、一対の係合板３間に一対の挿入板４を差し込むと、係合溝８に突条７が係合し、その係合により一対の挿入板４は抜け止めされて第１挾持板１と第２挾持板２は連結状態とされ、パネル結合用ジョイナは組立て状態とされる。
【００２５】
パネルＰの接続に際しては、第１挾持板１と第２挾持板２間にパネルＰの側部を嵌合して圧入する。パネルＰの側部の嵌合に際し、図４に示すように、第１挾持板１と第２挾持板２のうち、側縁が外側方に位置する挾持板に対してパネルＰを傾斜させ、そのパネルＰの側部が第１挾持板１と第２挾持板２間に侵入する状態でパネルＰを各挾持板１、２に対して平行状態に戻すことによって、パネルＰの側部を第１挾持板１と第２挾持板２間に簡単に嵌合させることができる。
【００２６】
第１挾持板１と第２挾持板２間に対するパネルＰの側部の嵌合後、そのパネルＰを圧入すると、各挾持板１、２のわん曲部５が弾性変形し、その復元弾性によりわん曲部５がパネルＰの側部を表裏から弾性的に挾持して、第１挾持板１および第２挾持板２の側縁部がパネルＰに密着するため、気密性に優れたパネル壁を形成することができると共に、シール部材の組込みを必要としないため、パネル壁をきわめて容易に組立てることができる。
【００２７】
パネル壁の組立て状態において、連結状態にある第１挾持板１と第２挾持板２を相対的に離反する方向に引張り力を付与すると、係合溝８に対する突条７の係合が解除されて一対の係合板３間から一対の挿入板４が抜け出し、第１挾持板１と第２挾持板２の連結を解除することができ、その連結解除によってパネルＰを取外すことができる。
【００２８】
このため、破損等によるパネルＰの取り換えに際してはパネル壁を端から順に分離する必要がなく、パネルＰをきわめて容易に交換することができる。
【００２９】
実施の形態では、第１挾持板１および第２挾持板２の両側部にわん曲部５を設けたが、第１挾持板１および第２挾持板２を幅方向の全体にわたってわん曲させるようにしてもよい。
【００３０】
また、実施の形態では、パネル結合用ジョイナの組立て後、パネルＰを接続してパネル壁を形成するようにしたが、接続すべき一対のパネルＰの側面を対向し、その対向部間に第１挾持板１の一対の係合板３を挿入し、その一対の係合板３間に第２挾持板２の挿入板４を挿入してパネル壁を形成するようにしてもよい。
【００３１】
さらに、実施の形態では、第２挾持板２に一対の挿入板４を設けたが、単一の挿入板であってもよい。
【図面の簡単な説明】
【００３２】
【図１】この発明に係るパネル結合用ジョイナの断面図
【図２】図１に示すパネル結合用ジョイナの分解斜視図
【図３】図１に示すパネル結合用ジョイナの係合手段部の拡大断面図
【図４】パネルの接続前の状態を示す平面図
【符号の説明】
【００３３】
１  第１挾持板
２  第２挾持板
３  係合板
４  挿入板
５  わん曲部
６  係合手段
７  突条
８  係合溝
【図１】
2005232787.tif 000003
【図２】
2005232787.tif 000004
【図３】
2005232787.tif 000005
【図４】
2005232787.tif 000006